(57)【要約】【課題】管理情報記録部分の記録品質が悪く、読み出しに失敗した場合でも、記録済みのビデオデータを有効として再生することができる光ディスク記録再生装置を提供する。【解決手段】１回だけ書き込みが可能な光ディスクへのビデオ録画機能を有する光ディスク記録再生装置において、記録したビデオコンテンツデータの管理情報であるコンテンツ管理情報を記録動作毎に更新して追記し、この追記した最新のコンテンツ管理情報を光ディスク内周部に予め予約しておいた領域にコピーすることでＲＯＭメディアと互換性のあるビデオディスクフォーマットを記録し、コンテンツ管理情報を元にディスク管理情報を生成して記録し、ディスク管理情報に含まれるフラグメント単位でデータへのアクセス情報を管理し、このフラグメント単位の更新をビデオコンテンツデータの更新に連携して行う制御を司るシステムコントローラ３９、５３を備えた。【選択図】図２
2007164951.tif 000002
【特許請求の範囲】
【請求項１】
１回だけ書き込みが可能な光ディスクへのビデオ録画機能を有する光ディスク記録再生装置において、記録したビデオコンテンツデータの管理情報であるコンテンツ管理情報を記録動作毎に更新して追記する更新手段と、該更新手段により追記した最新のコンテンツ管理情報を光ディスク内周部に予め予約しておいた領域にコピーすることでＲＯＭメディアと互換性のあるビデオディスクフォーマットを記録するデオディスクフォーマット記録手段と、前記コンテンツ管理情報を元にディスク管理情報を生成して記録するディスク管理情報生成手段と、ディスク管理情報に含まれるフラグメント単位でデータへのアクセス情報を管理する管理手段と、前記フラグメント単位の更新をビデオコンテンツデータの更新に連携して行う制御を司るシステムコントローラと、を備えたこと特徴とする光ディスク記録再生装置。
【請求項２】
請求項１の光ディスク記録再生装置において、前記システムコントローラは、ビデオコンテンツのアクセス単位であるタイトルの管理情報に対して、１回の録画にてタイトル数を１つ増加させ、録画回数によって、ディスク管理情報であるフラグメント情報を更新させる制御を司ることを特徴とする光ディスク記録再生装置。
【請求項３】
請求項２の光ディスク記録再生装置において、前記システムコントローラは、録画回数を３回カウントする毎にフラグメント情報を更新して記録する制御を司ることを特徴とする光ディスク記録再生装置。
【請求項４】
請求項２の光ディスク記録再生装置において、前記システムコントローラは、録画済みの光ディスクをファイナライズする動作に際し、一時的なコンテンツ管理情報の記録位置を示す位置情報の光ディスクからの読み出しに失敗した場合、その対象としているフラグメント番号をＮとして、Ｎ−１のフラグメントの位置情報をフラグメント管理情報から取得し、そのフラグメントの最後に記録されている一時的なコンテンツ管理情報の記録位置情報を読み出し、その情報を有効としてファイナライズ動作を行う制御を司ることを特徴とする光ディスク記録再生装置。
【請求項５】
請求項４の光ディスク記録再生装置において、前記システムコントローラは、Ｎ−１したフラグメントに記録されている一時的なコンテンツ管理情報の記録位置管理情報の光ディスクからの読み出しに失敗した場合、さらに手前のフラグメントを有効としてファイナライズ動作を行い、再度読み出しに失敗した場合は前記ファイナライズ動作を繰り返し行う制御を司ることを特徴とする光ディスク記録再生装置。
【請求項６】
請求項２の光ディスク記録再生装置において、前記システムコントローラは、一時的なコンテンツ管理情報の記録位置情報の光ディスクからの読み出しに失敗した場合、その対象としているフラグメント番号をＮとして、Ｎ−１のフラグメントの位置情報をフラグメント管理情報から取得し、そのフラグメントの最後に記録されている一時的なコンテンツ管理情報の記録位置管理情報を読み出し、その情報を元にビデオコンテンツの再生動作を行う制御を司ることを特徴とする光ディスク記録再生装置。
【発明の詳細な説明】
【技術分野】
【０００１】
本発明は、光ディスク記録再生装置に関する。
【背景技術】
【０００２】
ＤＶＤ＋Ｒなど１回だけ書き込みが可能な光ディスクのビデオ記録動作において、記録したビデオコンテンツデータの管理情報を、記録動作毎に更新して追記することが可能であり、この追記した最新の管理情報をディスク内周部に予め予約しておいた領域にコピーすることで、ＲＯＭメディアと互換性のあるビデオデータフォーマットが記録可能な装置、いわゆるＤＶＤビデオレコーディングフォーマットの規格に対応したＤＶＤビデオ録画機器が普及し始めている。
図１に、ＤＶＤ＋ＶＲフォーマットに基づいた記録方法によりディスクに記録されるデータ構成を示す。ディスク内周から、テスト記録領域１は、ディスクの記録動作に最適な書き込みレ−ザパワ−を決定するための試用領域である。ディスク管理情報領域２は、ディスクの物理特性などのディスクに関する情報が予め記録されている領域であり、この情報を元に光ディスク記録再生装置はディスク種類の識別などを行うことができる。
コンテンツ管理情報領域３はビデオコンテンツデータ領域４、６のビデオコンテンツデータに関する管理情報が記録される。この部分はディスクのファイナライズ動作にて、最後に記録された一時的なコンテンツ管理情報領域７のコンテンツ管理情報がコピーされる。一時的なコンテンツ管理情報領域５、７は録画動作終了毎に更新される管理情報を一時的に記録することで、一回のみ記録が可能なライトワンスメディアでも仮想的にコンテンツ管理データの更新を可能としている。
ビデオコンテンツデータは映画や、放送番組などのビデオコンテンツデータである。ディスク管理情報領域８はコンテンツ再生を正常に終了させるための領域であり、この領域にもディスクを記録再生するための情報が記録される。未記録領域９は、データが記録されなかった領域であり、ファイナライズ後の追記は不可となるため、ファイナライズ後は利用できない。テスト記録領域１０はテスト記録領域１と同等な機能を提供している。
上記のようにＤＶＤ＋ＶＲフォーマットが規定しているフォーマットに基づいて記録動作をする場合、フラグメント（トラック）の区切りとビデオデータのナビゲ−ション情報であるタイトルの区切りに関して規定はなくメ−カの実装方法に依存している。
【発明の開示】
【発明が解決しようとする課題】
【０００３】
ＤＶＤ＋Ｒなどの１回のみ書き込みが可能な光ディスクメディアへのビデオ記録動作において、録画動作終了毎に、この記録したビデオデータを管理する情報をその直後に連続して記録する動作を行う。メディアを容量フルまで記録した場合、最外周にこの管理情報を書き込むことになるが、品質の悪いメディアやエンドユーザの取り扱いが悪く指紋が付くなどして、記録品質が悪化し、読み取りできないことが起こる可能性があり特に外周部で顕著である。
この最外周に記録されているはずの管理情報を元にファイナライズ動作を行うことができず、記録済みのビデオデータが再生不可能なディスクとなってしまうケ−スがあり、既存のテープメディアによるビデオ記録方法に対して、記録ディスクメディアの欠点となってしまっている。
本発明は上記に鑑み、管理情報記録部分の記録品質が悪く、読み出しに失敗した場合でも、記録済みのビデオデータを有効として再生することができる光ディスク記録再生装置を提供することを目的とする。
【課題を解決するための手段】
【０００４】
上記目的を達成するために、請求項１記載の発明は、１回だけ書き込みが可能な光ディスクへのビデオ録画機能を有する光ディスク記録再生装置において、記録したビデオコンテンツデータの管理情報であるコンテンツ管理情報を記録動作毎に更新して追記する更新手段と、該更新手段により追記した最新のコンテンツ管理情報を光ディスク内周部に予め予約しておいた領域にコピーすることでＲＯＭメディアと互換性のあるビデオディスクフォーマットを記録するデオディスクフォーマット記録手段と、前記コンテンツ管理情報を元にディスク管理情報を生成して記録するディスク管理情報生成手段と、ディスク管理情報に含まれるフラグメント単位でデータへのアクセス情報を管理する管理手段と、前記フラグメント単位の更新をビデオコンテンツデータの更新に連携して行う制御を司るシステムコントローラと、を備えたこと特徴とする。
請求項２記載の発明は、請求項１の光ディスク記録再生装置において、システムコントローラは、ビデオコンテンツのアクセス単位であるタイトルの管理情報に対して、１回の録画にてタイトル数を１つ増加させ、録画回数によって、ディスク管理情報であるフラグメント情報を更新させる制御を司る光ディスク記録再生装置を主要な特徴とする。
請求項３記載の発明は、請求項２の光ディスク記録再生装置において、システムコントローラは、録画回数を３回カウントする毎にフラグメント情報を更新して記録する制御を司る光ディスク記録再生装置を主要な特徴とする。
【０００５】
請求項４記載の発明は、請求項２の光ディスク記録再生装置において、システムコントローラは、録画済みの光ディスクをファイナライズする動作に際し、一時的なコンテンツ管理情報の記録位置を示す位置情報の光ディスクからの読み出しに失敗した場合、その対象としているフラグメント番号をＮとして、Ｎ−１のフラグメントの位置情報をフラグメント管理情報から取得し、そのフラグメントの最後に記録されている一時的なコンテンツ管理情報の記録位置情報を読み出し、その情報を有効としてファイナライズ動作を行う制御を司る光ディスク記録再生装置を主要な特徴とする。
請求項５記載の発明は、請求項４の光ディスク記録再生装置において、前記システムコントローラは、Ｎ−１したフラグメントに記録されている一時的なコンテンツ管理情報の記録位置管理情報の光ディスクからの読み出しに失敗した場合、さらに手前のフラグメントを有効としてファイナライズ動作を行い、再度読み出しに失敗した場合は前記ファイナライズ動作を繰り返し行う制御を司ることを特徴とする。
請求項６記載の発明は、請求項２の光ディスク記録再生装置において、システムコントローラは、一時的なコンテンツ管理情報の記録位置情報の光ディスクからの読み出しに失敗した場合、その対象としているフラグメント番号をＮとして、Ｎ−１のフラグメントの位置情報をフラグメント管理情報から取得し、そのフラグメントの最後に記録されている一時的なコンテンツ管理情報の記録位置管理情報を読み出し、その情報を元にビデオコンテンツの再生動作を行う制御を司る光ディスク記録再生装置を主要な特徴とする。
【発明の効果】
【０００６】
請求項１、２の発明によれば、ＤＶＤビデオ記録フォーマットと光ディスクの物理上のデータ管理情報を関連付けることにより、ビデオ記録フォーマット上の管理情報へのアクセスするために、ディスク管理情報を利用することが可能になる。これにより、ビデオ管理情報へのアクセスに対して信頼性が向上する。
ＤＶＤ＋ＶＲフォーマットでは最大４９タイトルが許容されている。またＤＶＤ＋Ｒ規格においてはフラグメントの最大数は１６個となっている。以上から請求項３の発明によれば、１フラグメントに対して録画回数を３回とすることにより、最大４５タイトル／１５フラグメントとなり、実使用効率の良いデータ記録構成となる。
請求項４、５の発明によれば、ファイナライズ動作で、一時的ビデオコンテンツ管理情報が取得できなかったときのリカバリ処理を提供しており、１フラグメント前までに記録されたビデオコンテンツを有効として再生可能なディスクを作成できるようになる。
請求項６の発明によれば、一時的ビデオコンテンツ管理情報が取得できなかったときのリカバリ処理を提供しており、１フラグメント前までに記録されたビデオコンテンツを有効として再生動作を可能とする。
【発明を実施するための最良の形態】
【０００７】
以下、本発明の実施形態を図面に従って説明する。
図２は本発明の実施形態に係る光ディスク記録再生装置の構成図である。図に示すように、光ディスクからデータの記録再生動作を行う光ディスク駆動部２１と、映像、音声信号の符号化、復号化及びコンテンツ管理情報の制御を行うビデオ制御部２２からなる。
光ディスク駆動部２１は、光ディスク３１を回転させるモータ３２、光ピックアップ３３を光ディスク３１の半径方向に移動させる粗動モータ３４、各制御部３５〜３７、信号処理部３８、システムコントローラ（１）３９、不揮発性メモリ４０、キャッシュメモリ４１を備える。
ビデオ制御部２２は、コンテンツ符号化部５１、コンテンツ復号化部５２、システムコントローラ（２）５３、グラフィックコントローラ５４、映像、音声の入出力部５５〜５８、チューナ部５９を備える。光ディスク駆動部２１とビデオ制御部２２はインターフェース部６０で接続される。
システムコントローラ（２）５３は各装置をコントロールすることが可能であり、インターフェース部６０を介してコマンド処理による光ディスク駆動部２１の制御が可能である。記録動作時のデータフローとしては、アナログ映像信号入力、音声信号入力をＡＤ変換後、コンテンツ符号化部５１に入力する。
ここで、映像、音声信号をそれぞれ圧縮符号化データとしてＭＰＥＧ２−ＰＳ変換し、さらにＤＶＤナビゲーション情報を付加しＤＶＤ−ＶＩＤＥＯフォーマット化後、インターフェース部６０を経由して光ディスク駆動部２１へ送る。
光ディスク駆動部２１の信号処理部３８にて受信したデータをＲＯＭセクタフォーマットへエンコード処理し、スクランブル処理等を行いＥＦＭ変調する。ＥＦＭ変調された信号を光ピックアップ３３に送り、記録パルス波形を生成しレーザ駆動することにより光ディスク３１へ記録が行われる。
【０００８】
図３に、未使用（ブランク）の１回のみ書き込みが可能なディスク（ＷＯ：ライトワンス）を機器に挿入し、録画動作をするまでの動作フローを示す。ディスク挿入（Ｓ２−１）後、ディスクの種類判別を行い記録可能メディアであると判定した場合、ディスクの記録状態を取得する。
記録状態がブランクディスクと認識した場合（Ｓ２−２）、ディスクの管理情報及びコンテンツ管理情報を記録するための予約トラックを作成する（Ｓ２−３）。
【０００９】
図４に予約トラック生成時に記録されるディスク構成を示す。コンテンツ管理情報領域３のコンテンツ管理情報を記録するためのコンテンツ管理情報予約領域３−１を確保するため、予約領域に対応したトラック管理情報２−１がディスク管理情報領域２に記録される。
コンテンツ管理情報予約領域３―１は、ファイナライズ動作で最終的にコンテンツ管理情報を確定した時点で記録される。またこの領域に続いてコンテンツデータが記録されることになる。
この動作終了後、コンテンツの記録可能状態となる。ユーザの指示（Ｓ２−４）により録画動作を開始し、生成されたビデオデータを光ディスク３１へ記録する（Ｓ２−５）。ユーザの指示等により録画動作を停止する（Ｓ２−６）。この時点で録画されたコンテンツをタイトルという単位で管理する情報を生成する（Ｓ２−７）。生成されたタイトル情報を光ディスク３１へ記録する（Ｓ２−８）。
この時点で記録される光ディスクのデータ構成を図５に示す。コンテンツ管理情報予約領域３−１の直後からビデオコンテンツデータ領域４のビデオコンテンツデータが記録される。一時的コンテンツ管理情報領域５のコンテンツ管理情報を生成し、ビデオコンテンツデータの直後に記録する。
その後ろにコンテンツ管理情報の記録位置情報５−１を記録する。光ディスク駆動部２１は、未記録領域９との境であるアドレス情報を検出することが可能である。
未記録領域９の開始アドレス情報を、ビデオ制御部２２は光ディスク駆動部２１から取得可能であり、一時的コンテンツ管理情報の記録位置情報５−１の記録アドレスを確定することができるため、光ディスク３１を再マウント後でも一時的コンテンツ管理情報領域５の一時的コンテンツ管理情報を取得することができる。
ここで、このビデオコンテンツデータ領域４のビデオコンテンツデータはナビゲーション情報においては１タイトルとして管理される。これ以降、ユーザの指示により録画動作を同様手順により繰り返すことにより、随時、一時的なコンテンツ管理情報及び、この管理情報の位置情報を更新する。
【００１０】
図６に、本発明のビデオ記録方法にて記録したディスクデータ構成を示す。録画毎にタイトル番号が更新され、一時的コンテンツ管理情報領域５の一時的コンテンツ管理情報及び、一時的コンテンツ管理情報の記録位置情報５−１をビデオコンテンツに続いて記録する。
録画を３回行った時点で３タイトル分のデータ領域にて１フラグメントとして、このフラグメントをクローズ処理する。これにより、ディスク管理情報領域２内にこのフラグメントに対応したフラグメント（トラック）管理情報２−２を記録する。このようにして、３タイトル録画終了する毎にフラグメントのクローズ処理を行う。
【００１１】
図７に、本発明のファイナライズ動作の手順を示す。
Ｓ７−１．ユーザより、光ディスク３１のファイナライズ動作が指示される。
Ｓ７−２．光ディスク駆動部２１より追記開始可能アドレス（Next Writable Address）を取得。
Ｓ７−３．ＮＷＡより、コンテンツ管理情報への位置情報（ＲＳＡＴ）のアドレスを特定。
Ｓ７−４．メディアよりＲＳＡＴのデータを取得。データ読み出しＯＫの判定を行う。
Ｓ７−５．Ｓ７−４でＯＫの場合、ＲＳＡＴから取得したビデオコンテンツ管理情報（コンテンツ管理情報）のアドレスを取得。
Ｓ７−６．メディアよりビデオコンテンツ管理情報を取得。データ読み出しＯＫ判定を行う。
Ｓ７−７．Ｓ７−６でＯＫの場合、ビデオコンテンツ管理情報をコンテンツ管理情報予約領域３−１へ書き込みコピーを行う。
Ｓ７−８．確定したコンテンツ管理情報を元にディスク管理情報を確定しディスク管理情報領域２へ書き込みを行う。
Ｓ７−９．Ｓ７−４，Ｓ７−６でＮＧ判定の場合、最大フラグメント番号をマイナス１する。
Ｓ７−１０．Ｎが１以下であれば、異常終了。
Ｓ７−１１．Ｎ＝Ｎ−１のフラグメント管理情報を取得しフラグメントの最終セクタアドレスを特定しＲＳＡＴのアドレスを特定する。Ｓ４へ戻る。
【００１２】
図８に、本発明のディスクマウント動作の手順を示す。
Ｓ８−１．ユーザより、光ディスク３１の挿入動作が指示される。
Ｓ８−２．光ディスク駆動部２１より追記開始可能アドレス（Next Writable Address）を取得。
Ｓ８−３．ＮＷＡより、コンテンツ管理情報への位置情報（ＲＳＡＴ）のアドレスを特定。
Ｓ８−４．メディアよりＲＳＡＴのデータを取得。データ読み出しＯＫの判定を行う
Ｓ８−５．Ｓ８−４でＯＫの場合、ＲＳＡＴから取得したビデオコンテンツ管理情報のアドレスを取得。
Ｓ８−６．メディアよりビデオコンテンツ管理情報を取得。データ読み出しＯＫ判定を行う。
Ｓ８−７．Ｓ８−６でＯＫの場合、ビデオコンテンツ管理情報を再生動作するための指示待ち状態となる。
Ｓ８−８．ＮＧ判定の場合、最大フラグメント番号をマイナス１する。
Ｓ８−９．Ｎが１以下であれば、再生不可能ディスクと判定し、異常終了。
Ｓ８−１１．Ｎ＝Ｎ−１のフラグメント管理情報を取得しフラグメントの最終セクタアドレスを特定しＲＳＡＴのアドレスを特定する。ステップ８−４へ戻る。
【図面の簡単な説明】
【００１３】
【図１】従来例に係る記録済み光ディスクのデータ構成を示す図である。
【図２】本発明の実施形態に係る光ディスク記録再生装置の構成図である。
【図３】本発明の実施形態に係る光ディスク記録再生装置の動作手順を示すフローチャート（その１）である。
【図４】本発明の実施形態に係る光ディスク記録再生装置における挿入時点のブランク光ディスクのデータ構成を示す図である。
【図５】本発明の実施形態に係る光ディスク記録再生装置における初回録画終了時点の光ディスクのデータ構成を示す図である。
【図６】本発明の実施形態に係る光ディスク記録再生装置における光ディスクのデータ構成を示す図である。
【図７】本発明の実施形態に係る光ディスク記録再生装置の動作手順を示すフローチャート（その２）である。
【図８】本発明の実施形態に係る光ディスク記録再生装置の動作手順を示すフローチャート（その３）である。
【符号の説明】
【００１４】
２１  光ディスク駆動部
２２  ビデオ制御部
３９  システムコントローラ（１）
５３  システムコントローラ（２）
【図１】
2007164951.tif 000003
【図２】
2007164951.tif 000004
【図３】
2007164951.tif 000005
【図４】
2007164951.tif 000006
【図５】
2007164951.tif 000007
【図６】
2007164951.tif 000008
【図７】
2007164951.tif 000009
【図８】
2007164951.tif 000010